(57)【特許請求の範囲】
【請求項１】
パター用シャフトのチップエンドに、該シャフトの軸線を中心とする相対回転を可能にしてパター用ヘッドを仮結合するステップ；
この仮結合パターのパター用シャフトのバットエンドを、パター用ヘッドのフェース面を水平に向けた状態で固定するステップと、この仮結合パターを上下に振動させ、その振動方向を検出するステップとを、パター用ヘッドに対するパター用シャフトの相対回転位置を変化させながら繰り返し、仮結合パターが正しく上下方向に振動する相対回転位置を見い出すステップ；
仮結合パターが正しく上下方向に振動する相対回転位置において、フェース面を水平に向けたパター用ヘッドをパター用シャフトに固定するステップ；を有することを特徴とするパターの組立方法。
【請求項２】
請求項１記載のパターの組立方法において、前記仮結合パターが正しく上下方向に振動する相対回転位置を見出すステップの中に、仮結合パターの最も高い振動数を測定するステップを加えたことを特徴とするパターの組立方法。
【請求項３】
請求項１または２記載の組立方法によって組み立てられたパター。
【発明の詳細な説明】
【０００１】
【技術分野】
本発明は、パターの組立方法及びパターに関する。
【０００２】
【従来技術およびその問題点】
パターの組立は、パター用シャフトのチップエンドを、パター用ヘッドのホーゼルに挿入して固定して行う。このとき従来は、シャフトの軸線に関するヘッドの相対回転位置は、全く考慮されていなかった。つまり、単にシャフトをヘッドのホーゼルに挿入して固定するだけであった。グリップは以上の作業の前または後にシャフトのバットエンドに固定する。
【０００３】
しかしパター用シャフトは、スチールであれ、カーボンであれ、断面が完全な真円ではなく、軸線が完全な直線でもなく、肉厚も全く等肉ではない。長手方向、円周方向ともに、寸法、重量、物理的性質など不均一であり、その振動特性は、軸線を中心とした回転位置によって異なるのが事実である。このため、ヘッドのフェース面に対する相対回転位置を考慮せずに単にシャフトを固定していた従来のパターの組立方法では、フェース面でボールをヒットしたとき、フェース面に対して直交する方向以外の方向にシャフトが振動することがあり得た。最悪の場合には、ボールをヒットしたときシャフトが円運動をしてしまうことさえある。
【０００４】
ゴルフクラブの中でも、パターは、非常に繊細なクラブであり、シャフトがフェース面と直交する方向以外の方向に振動してしまえば、ヒットされたボールの回転は正しい順回転にならず、方向性は明らかに悪化すると考えられる。
【０００５】
【発明の目的】
本発明は、従来のパターの組立方法についての以上の問題意識に基づき、打ち出すボールの方向性に優れたパターの組立方法を得ることを目的とする。別言すると、本発明は、ボールをヒットしたときフェース面と直交する方向にシャフトが振動する（あるいは、フェース面と直交する方向の振動成分が最も大きい）パターの組立方法を得ることを目的とする。
【０００６】
【発明の概要】
本発明は、ヘッドのフェース面と直交する方向に正しくシャ フトが振動すれば、打ち出すボールに正しい順回転を与えることができ、方向性がよくなるという認識、及びシャフトは、前述のように、長手方向、円周方向ともに、寸法、重量、物理的性質など不均一であり、その振動特性は、軸線を中心とした回転位置によって異なるという事実に基づき、パター用ヘッドのフェース面に対する好ましいパター用シャフトの相対回転位置を見出して固定するという着想に至って完成されたものである。
【０００７】
本発明方法は、シャフト軸線に対するパター用ヘッド重量の 偏心を考慮するもので、パター用シャフトのチップエンドに、該シャフトの軸線を中心とする相対回転を可能にしてパター用ヘッドを仮結合するステップ；この仮結合パターのパター用シャフトのバットエンドを、パター用ヘッドのフェース面を水平に向けた状態で固定するステップと、この仮結合パターを上下に振動させ、その振動方向を検出するステップとを、パター用ヘッドに対するパター用シャフトの相対回転位置を変化させながら繰り返し、仮結合パターが正しく上下方向に振動する相対回転位置を見い出すステップ；仮結合パターが正しく上下方向に振動する相対回転位置において、フェース面を水平に向けたパター用ヘッドをパター用シャフトに固定するステップ；を有することを特徴としている。
【０００８】
【発明の実施形態】
図１、図２は、本発明方法を実施するための装置構成（振動測定機１０）の一例である。この振動測定機１０は、固定台１１と、この固定台１１と対をなす可動台１２とを有し、可動台１２は、エアシリンダ装置１３によって、固定台１１に対して進退する。１４は、固有振動数を測定する振動数測定センサ、１５は、振動方向を測定する（振動が上下方向か否かを検出する）振動方向検出センサである。
【０００９】
本発明方法では、パター用シャフト２０のバットエンドを固定台１１と可動台１２の間に挿入し、エアシリンダ装置１３により可動台１２を固定台１１側に移動させて、固定する。次に、パター用ヘッド３０のホーゼル３１内に、このようにしてバットエンドを固定したパター用シャフト２０のチップエンドを相対回転ができるように挿入する。この状態は仮結合状態であり、ヘッド３０は、シャフト２０の軸線を中心とする相対回転は可能であり、シャフト２０を振動させると、該シャフト２０と一緒に振動する。
【００１０】
このようにパター用シャフト２０とヘッド３０の仮結合体（仮結合パター）のバットエンドを固定したら、ヘッド３０のフェース面３２を水平に向けたまま、その先端部（ヘッド３０）に上下方向の変形を与えてから開放する。すると、仮結合パターは概ね上下に振動するから、その振動方向を観察する。図３は、シャフト２０の振動が正しく上下方向に生じる場合をＡ、斜めに生じる場合をＢ、円運動する場合をＣとして模式的に描いている。
【００１１】
上述のように、シャフト２０は、非等方性の性質を有するため、この振動方向が正しく上下方向に生じるという保証はない。そこで、この振動方向の観察（測定）を、パター用ヘッド３０に対するパター用シャフト２０の相対回転位置を変化させながら繰り返す。振動を与える際の条件は、ヘッド３０のフェース面３２の方向を水平に保持すること、及びシャフト２０とヘッド３０の仮結合パターに与える振動の方向を概ね上下方向とすることである。従って、測定の度に、パター用シャフト２０のバットエンドを固定台１１と可動台１２の間から開放し、パター用ヘッド３０との相対回転位置を変化させてから、再び固定台１１と可動台１２の間に固定するという手順を繰り返す。固定台１１と可動台１２によるシャフト２０のバットエンドの固定圧力は、例えば２〜３ｋｇ／ｃｍ2が適当である。
【００１２】
振動数測定センサ１４と振動方向検出センサ１５は例えば、平面を挟んで位置する発光素子と受光素子から構成されている。振動方向検出センサ１５は、発光素子がシャフト２０に向けて上下方向の平行光を照射し、受光素子（ラインセンサ）がその光を受光し、光を受光しなかったピクセルの位置と数を検出する。シャフト２０が正しく上下方向に振動していれば、シャフト２０によって遮られる光の幅は最も小さく、従ってシャフト２０の直下または直上の 光の入射しないセンサの数が最も少ない。これに対し、振動方向が斜めであったり、円を描いたりすれば、より多くのセンサに光が入射しない（あるいは入射光量が減る）こととなるので、シャフト２０の振動が正しく上下方向には向いていないこと、及びシャフト２０の振動方向が正しく上下方向を向いていること（上下方向の振動成分が最も多いこと）を検出できる。振動数測定センサ１４は、単位時間当たりにシャフト２０の特定点が何回通過したかを検出して振動数を測定する。
【００１３】
シャフト２０の振動が正しく上下方向に生じると、その固有振動数が最も高くなることが理論的にも経験的にも知られている。そこで、振動数測定センサ１４を用いて、最も高い振動数を示す相対回転位置から、シャフト２０の振動が正しく上下方向に向くことを検出することができる。あるいは、振動数測定センサ１４と振動方向検出センサ１５の双方を用いて、シャフト２０の振動が正しく上下方向に向くことを検出してもよい。振動方向は目視によっても検出可能である。
【００１４】
以上の測定を繰り返すと、振動方向が正しく上下方向を向くパター用シャフト２０とヘッド３０の相対回転位置を見出すことができる。
【００１５】
以上の測定によって仮結合パターが正しく上下方向に振動するパター用シャフト２０とヘッド３０の相対回転位置を見出すと、その相対回転位置でパター用シャフト２０とヘッド３０を固定すれば、フェース面３２でボールをヒットしたとき、パター用シャフト２０の全体がフェース 面３２と直交する方向に正しく振動する（直交する方向の振動成分が最も高い）ことになる。
【００１６】
グリップは、最後にパター用シャフト２０のバットエンドに固定する。
【００１７】
【発明の効果】
本発明によれば、ボールに正しい順回転を与えることができる、方向性に優れたパターの組立方法及びパターを得ることができる。
【図面の簡単な説明】
【図１】本発明によるパターの組立方法に用いる振動測定機にパター用シャフトとパター用ヘッドの仮結合体（仮結合パター）を固定した状態の正面図である。
【図２】同平面図である。
【図３】仮結合パターの振動方向の例を模式的に示す、シャフトを軸線方向から見た図である。
【図４】図３のシャフトにパター用ヘッドを固定した図である。
【符号の説明】
１０ 振動測定機
１１ 固定台
１２ 可動台
１３ エアシリンダ装置
１４ 振動数測定センサ
１５ 振動方向検出センサ
２０ パター用シャフト
３０ パター用ヘッド
３１ ホーゼル
３２ フェース面
【図１】
0003725036.tif 000002
【図２】
0003725036.tif 000003
【図３】
0003725036.tif 000004
【図４】
0003725036.tif 000005